(57)【要約】【課題】ある電力供給装置が所定の電気機器に電力を供給するものとして適当であることの評価をより精度よく行い得る評価装置等の提供。【解決手段】評価装置は、電圧測定部と評価部と出力部とを備える。前記電圧測定部は、電源からの電力により所定の直流電力の電気機器への供給を行う供給装置からの入力の電圧値を測定する。前記評価部は、前記供給装置の前記電源への接続後の、前記供給装置の前記電源からの切断による前記電圧値の降下状況を表すものについての所定の評価結果の導出を行う。前記出力部は、前記評価結果の出力を行う。【選択図】      図１
2018082561.tif 000002
【特許請求の範囲】
【請求項１】
電源からの電力により所定の直流電力の電気機器への供給を行う供給装置からの入力の電圧値を測定する電圧測定部と、
前記供給装置の前記電源への接続後の、前記供給装置の前記電源からの切断による前記電圧値の降下状況を表すものについての所定の評価結果の導出を行う評価部と、
前記評価結果の出力を行う出力部と、
を備える評価装置。
【請求項２】
前記評価結果が三段階以上である請求項１に記載された評価装置。
【請求項３】
前記降下状況を表すものが、前記電圧値の所定の電圧降下に要する時間である、請求項１又は請求項２に記載された評価装置。
【請求項４】
前記評価結果の出力が、表示又は音声による出力を含む、請求項１乃至請求項３のうちのいずれか一に記載された評価装置。
【請求項５】
前記評価結果の出力が、前記評価結果により前記供給装置と前記電気機器の主要な動作を行う部分である動作部との間の接続及び切断である第一の接続及び切断を行う第一の接続部への、前記第一の接続及び切断についての指示情報である第一の指示情報の出力を含む、請求項１乃至請求項４のうちのいずれか一に記載された評価装置。
【請求項６】
前記電源からの切断に、前記導出及び前記評価結果の出力に必要な電力を供給する第二の電源をさらに備える、請求項１乃至請求項５のうちのいずれか一に記載された評価装置。
【請求項７】
前記電圧値のノイズレベルの測定を行うノイズ測定部をさらに備え、
前記ノイズレベルから前記導出を行う、請求項１乃至請求項６のうちのいずれか一に記載された評価装置。
【請求項８】
前記降下状況を表すものが前記降下状況を表す値であり、前記降下状況を表す値が予め定めた範囲内の場合に、前記ノイズレベルから前記導出を行う、請求項７に記載された評価装置。
【請求項９】
前記供給装置が第二の指示情報により前記電源との接続及び切断である第二の接続及び切断を行う第二の接続部を備え、前記第二の接続部に対し、前記電源への接続と前記電源からの切断とを指示する前記第二の指示情報の送付を行う、請求項１乃至請求項８のうちのいずれか一に記載された評価装置。
【請求項１０】
前記供給装置が第一の無線通信部を備え、前記第二の指示情報の前記第一の無線通信部への送付を行う第二の無線通信部をさらに備える、請求項９に記載された評価装置。
【発明の詳細な説明】
【技術分野】
【０００１】
本発明は電力供給装置を評価する評価装置に関する。
【背景技術】
【０００２】
電子機器の多様化により様々なＡＣアダプタ（電力供給装置の一種）が存在しており、不注意で他のＡＣアダプタを誤接続する場合があり得る。ここで、ＡＣは、ａｌｔｅｒｎａｔｉｎｇ  ｃｕｒｒｅｎｔの略である。
【０００３】
ＡＣアダプタを誤接続した場合、接続先の電気機器に損傷が生じ、ひどい場合には焼損事故につながり得る。その理由は、ＡＣアダプタの電流容量が大きすぎる場合には、誤接続により当該電気機器が過剰な電流を当該電気機器に流し、過剰電流による発熱等が生じる場合があるためである。一方、ＡＣアダプタの電流容量が小さすぎる場合には、誤接続により前記電気機器に動作不良が生じ得る。
【０００４】
ＡＣアダプタの誤接続防止のために、次の方法が開示されている。例えば、特許文献１及び２は、ＡＣアダプタからの入力電圧を監視して回路保護を行う方法を開示する。また、特許文献３は、ＡＣアダプタからのノイズレベルを監視して回路保護を行う方法を開示する。
【０００５】
一方、特許文献４は、給電々圧が基準電圧レベルより低下している間所定の電圧レベルを発生し、上記給電々圧が正常動作電圧より低下するまでの時間を超えたとき上記所定の電圧レベルに応答してその表示信号を発生する方法を開示する。
【先行技術文献】
【特許文献】
【０００６】
【特許文献１】特開平８−３３１８号公報
【特許文献２】特開平６−２２４５０号公報
【特許文献３】特許４９９３７７７号公報
【特許文献４】特開昭５８−０５８８２１号公報
【発明の概要】
【発明が解決しようとする課題】
【０００７】
しかしながら、同じ定格電圧の異なる電流容量のＡＣアダプタが多数存在しているため、前述のＡＣアダプタからの入力電圧を監視する方法により適当であると判定したＡＣアダプタは必ずしも適当なものでない可能性がある。
【０００８】
また、接続後しばらくは電源ノイズに問題がなく、長期間使用後にＡＣアダプタの異常発熱する場合もあるため、前述の電源ノイズを監視する方法により適当であると判定したＡＣアダプタも必ずしも適当なものでない可能性がある。
【０００９】
本発明は、ある電力供給装置が所定の電気機器に電力を供給するものとして適当であることについての評価をより精度よく行い得る評価装置等の提供を目的とする。
【課題を解決するための手段】
【００１０】
本発明の評価装置は、電圧測定部と評価部と出力部とを備える。前記電圧測定部は、電源からの電力により所定の直流電力の電気機器への供給を行う供給装置からの入力の電圧値を測定する。前記評価部は、前記供給装置の前記電源への接続後の、前記供給装置の前記電源からの切断による前記電圧値の降下状況を表すものについての所定の評価結果の導出を行う。前記出力部は、前記評価結果の出力を行う。
【発明の効果】
【００１１】
本発明の評価装置等は、ある電力供給装置が所定の電気機器に電力を供給するものとして適当であることについての評価をより精度よく行い得る。
【図面の簡単な説明】
【００１２】
【図１】第一実施形態の電気機器を適用し得る電力供給システムの構成例を表す概念図である。
【図２】処理部の構成例を表す概念図である。
【図３】副電源の構成例を表す概念図である。
【図４】第一実施形態の処理部が行う評価処理の処理フロー例を表す概念図である。
【図５】第一実施形態の処理部が評価結果により行う処理の処理フロー例を表す概念図である。
【図６】第二実施形態の電気機器を適用し得る電力供給システムの構成例を表す概念図である。
【図７】第二実施形態の処理部が行う、図４に表すＳ１０１及びＳ１０３の処理を置き換える処理を表す概念図である。
【図８】第二実施形態の処理部が行う、図５に表す処理に挿入する処理を表す概念図である。
【図９】第三実施形態の電気機器を適用し得る電力供給システムの構成例を表す概念図である。
【図１０】第三実施形態の処理部が行う、図４に表すＳ１０１及びＳ１０３の処理を置き換える処理を表す概念図である。
【図１１】第三実施形態の処理部が行う、図５に挿入する処理を表す概念図である。
【図１２】第四実施形態の電気機器を適用し得る電力供給システムの構成例を表す概念図である。
【図１３】第四実施形態の処理部が行う、図４に表す評価処理に挿入する処理を表す概念図である。
【図１４】第四実施形態の処理部が行う、図４に表す処理フローに挿入する処理を表す概念図である。
【図１５】第四実施形態の処理部が行う、図４に表すＳ１０８及びＳ１０９の処理を置き換える処理を表す概念図である。
【図１６】第四実施形態の処理部が行う、評価結果により行う処理の処理フロー例を表す概念図である。
【図１７】第四実施形態の処理部が図１５に表す評価処理及び図１６に表す評価結果により行う処理を行った場合の、表示部１２６ａの表示と接続部１１１ａの接続状況を表す表である。
【図１８】本発明の最小限の評価装置の構成を表すブロック図である。
【発明を実施するための形態】
【００１３】
＜第一実施形態＞
第一実施形態は、供給装置からの入力の電圧低下に要する時間により、供給装置が電気機器に電力を供給するものとして適当であるか否かの判定を行う、電気機器に関する実施形態である。
［構成と動作］
図１は、第一実施形態の電気機器を適用し得る電力供給システムの例である電力供給システム１００ａの構成を表す概念図である。
【００１４】
電力供給システム１００ａは供給装置１０１ａと電気機器１３６ａとを備える。
【００１５】
供給装置１０１ａは、図示しない電源から供給される電力を所定の直流の電力に変換し、当該変換後の電力を、ある電気機器（電気機器１３６ａとは限らない）に供給するための装置である。供給装置１０１ａは、典型的にはコンセントを通じて供給される交流電力を変換して電気機器に供給するＡＣアダプタである。
【００１６】
供給装置１０１ａは、変換部１５６ａを備える。変換部１５６ａは前記電源から供給された電力を変換した電力を、電気機器１３６ａの接続部１４６に供給する。
【００１７】
電気機器１３６ａは、接続部１４６と、制御部１４１ａと、動作部１３１ａとを備える。
【００１８】
接続部１４６は、人等の外部の動作により、供給装置１０１ａからの出力を、電気機器１３６ａ内部に接続し、或いは、切断する部分である。接続部１４６は、典型的には、コネクタである。
【００１９】
制御部１４１ａは、供給装置１０１ａが、電気機器１３６ａに電力を供給する供給装置として適当か否かを判定し、当該判定の判定結果に応じて後述の処理を行う部分である。以下において、供給装置１０１ａが、電気機器１３６ａに電力を供給する供給装置として適当か否かの判定を「適正判定」と、適正判定に基づく供給装置１０１ａについての評価を「適正評価」と、それぞれ、いうことにする。
【００２０】
制御部１４１ａは、電圧測定部１２７ａと、処理部１２１ａと、表示部１２６ａと、接続部１１１ａと、副電源１１６ａとを備える。
【００２１】
なお、電力供給システム１００ａにおける実線で表す配線は、図１に表す各構成間を接続する供給電力の経路である。また、電力供給システム１００ａにおける点線で表す配線は、処理部１２１ａと、処理部１２１ａと接続された各構成とを結ぶ、信号経路である。
【００２２】
電圧測定部１２７ａは、接続部１４６からの入力の電圧を逐次測定する電圧計である。そして、当該電圧に係る電圧値を、逐次、処理部１２１ａに送る。
【００２３】
処理部１２１ａは、電圧測定部１２７ａから送られた電圧値から、供給装置１０１ａが、いったん前記電源に接続された後に当該電源から切断が行われたか否かについての判定を行う。当該判定の具体例は［処理フロー］の項において後述する。供給装置１０１ａの前記電源への接続及び切断は、例えば、コンセントにプラグを挿入し、又は、コンセントからプラグを抜く等の、人の作業により行われ得る。
【００２４】
処理部１２１ａは、前記切断が行われたことを判定した場合は、当該判定時を基点として、図示しないタイマーにより、経過時間の測定を開始する。
【００２５】
そして、処理部１２１ａは、電圧測定部１２７ａから送られた電圧値が、予め定められた閾値Ｔｈ３よりも小さいか否かについての判定を行う。
【００２６】
そして、処理部１２１ａは、前記電圧値が閾値Ｔｈ３を下回ったことを判定した場合は、当該判定時における前記経過時間を図示しない記録部に記録する。
【００２７】
そして、処理部１２１ａは、当該経過時間が、予め定められた経過時間についての範囲にあるかについての判定を行う。
【００２８】
処理部１２１ａは、当該経過時間が当該範囲にあることを判定した場合は、供給装置１０１ａが電気機器１３６ａへ電力を供給するものとして適当である旨を表す表示を指示する指示情報を送る。処理部１２１ａは、また、接続部１１１ａに対して、端子Ａ−Ｂ間の接続を指示する情報を送る。
【００２９】
一方、処理部１２１ａは、前記経過時間が前記範囲にあることを判定しなかった場合は、供給装置１０１ａが電気機器１３６ａへ電力を供給するものとして適当でない旨を表す表示を指示する指示情報を送る。そして、処理部１２１ａは、端子Ａ−Ｂ間が接続されている場合は、接続部１１１ａに対し、端子Ａ−Ｂ間の切断を指示する指示情報を送る。処理部１２１ａは、端子Ａ−Ｂ間がすでに切断されている場合は、当該切断を維持させる。
【００３０】
表示部１２６ａは、処理部１２１ａからの指示情報に従い、指示された内容を表示する。表示部１２６ａは、例えば、ディスプレイである。
【００３１】
接続部１１１ａは、処理部１２１ａから送られる情報に従い、端子Ａ−Ｂ間の接続及び切断を行うスイッチである。
【００３２】
副電源１１６ａは、供給装置１０１ａの前記電源への接続後に供給装置１０１ａの前記電源からの切断が行われ、それにより入力される電圧が低下した場合に、所定の期間、必要な電力の供給を行う。電力の供給を行う対象は、電圧測定部１２７ａ、処理部１２１ａ、表示部１２６ａ及び接続部１１１ａである。前記入力される電圧は、接続部１４６を通じて入力される電圧である。
【００３３】
動作部１３１ａは、接続部１４６から所定の電力が供給された場合には、当該電力により、所定の動作を行う。当該所定の動作は、電気機器１３６ａが行う主要な動作である。当該所定の動作は、例えば電気機器１３６ａが携帯電話の場合は、通話等にともなう通信動作である。
【００３４】
図２は、図１に表す処理部１２１ａの例である処理部１２１ｂの構成を表す概念図である。
【００３５】
処理部１２１ｂは、演算部１６４ａと、記録部１６２ａと、タイマー１６３ａとを備える。端子ａ、ｂ及びｃは、信号線により、それぞれ、図１に表す電圧測定部１２７ａ、接続部１１１ａ及び表示部１２６ａに接続されている。
【００３６】
演算部１６４ａは、処理部１２１ｂが行う処理についての演算を行う。演算部１６４ａは、例えば、中央演算処理装置を備える。
【００３７】
記録部１６２ａは、演算部１６４ａの指示する情報を記録する。記録部１６２ａは、また、演算部１６４ａの指示により保持する情報を演算部１６４ａに送る。
【００３８】
タイマー１６３ａは、演算部１６４ａの指示により経過時間の測定を行う。そして、タイマー１６３ａは、測定した時間を逐次演算部１６４ａに送る。
【００３９】
処理部１２１ｂの各構成は端子Ｄに送られる電力により動作する。図２には、端子Ｄと各構成との間の配線は図示を省略してある。
【００４０】
図３は、図１に表す副電源１１６ａの例である副電源１１６ｂの構成を表す概念図である。
【００４１】
副電源１１６ｂは、ダイオード１３７ａとコンデンサ１３８ａとを備える。
【００４２】
コンデンサ１３８ａの容量は、処理部１２１ａが行う評価処理及び当該評価結果により行う処理、及び、これらの処理に伴い電圧測定部１２７ａ、表示部１２６ａ及び接続部１１１ａが行う動作に必要な、電流、電圧及び動作時間から定められる。ここで、当該評価は、供給装置１０１ａが電気機器１３６ａに電力を供給すべき適当な供給装置であるかについての評価である。
【００４３】
ダイオード１３７ａの左端は端子Ｅに接続されている。ダイオード１３７ａの右端はコンデンサ１３８ａの上端と端子Ｆに接続されている。コンデンサ１３８ａの下端はグランド１３９ａに接続されている。なお、実施形態の説明における上下左右は、特に説明が無い限り、説明対象の図面における上下左右を表すこととする。
【００４４】
上述のように、図１に表す供給装置１０１ａからは、端子Ｅを通じてダイオード１３７ａの左端に電力（電圧）が供給される。当該電圧はダイオード１３７ａを通過して、コンデンサ１３８ａの上端に供給される。コンデンサ１３８ａは当該供給により充電される。そして、前述のように供給装置１０１ａが前記電源から切断されることにより、接続部１４６を通じて供給装置１０１ａから電気機器１３６ａに供給される電力が低下した後にも、コンデンサ１３８ａは、所定の期間、電力供給を継続する。電力が供給されるものは、接続部１１１ａ、電圧測定部１２７ａ、処理部１２１ａ及び表示部１２６ａである。
【００４５】
ダイオード１３７ａは、ダイオード１３７ａの右方から左方への電流を遮断する。従い、コンデンサ１３８ａから、接続部１１１ａを通じての動作部１３１ａへの電力供給は行われない。
【００４６】
図１に表す副電源１１６ａは、図３に表す副電源１１６ａ以外に単なる電池であっても構わない。その場合は、端子Ｅは削除され得る。
［処理フロー］
図４は、図１に表す処理部１２１ａが行う評価処理の処理フロー例を表す概念図である。当該評価は、供給装置１０１ａが電気機器１３６ａに電力を供給すべき適当な供給装置であるかについての評価である。
【００４７】
処理部１２１ａは、まず、Ｓ１０１の処理として、電圧測定部１２７ａから送られる電圧値が閾値Ｔｈ１を超えたかについての判定を行う。ここで、閾値Ｔｈ１は、Ｓ１０１の処理のために予め定められた前記電圧値についての閾値である。Ｓ１０１の処理は、図１に表す供給装置１０１ａが接続部１４６に接続され、かつ、供給装置１０１ａが電源に接続されたか否かを判定する趣旨で行われる処理である。
【００４８】
処理部１２１ａは、Ｓ１０１の処理による判定結果がｙｅｓの場合はＳ１０３の処理を行う。
【００４９】
一方、処理部１２１ａは、Ｓ１０１の処理による判定結果がｎｏの場合はＳ１０１の処理を再度行う。
【００５０】
処理部１２１ａは、Ｓ１０３の処理を行う場合は、同処理として、供給装置１０１ａが電源から切断されたかについての判定を行う。当該切断は前述のように人等の外部により行われうるものである。処理部１２１ａは、当該判定を、例えば単位時間内の前記電圧値の低下量が所定の値を超えることを判定することにより行う。
【００５１】
処理部１２１ａは、Ｓ１０３の処理による判定結果がｙｅｓの場合は、Ｓ１０４の処理を行う。
【００５２】
一方、処理部１２１ａは、Ｓ１０３の処理による判定結果がｎｏの場合は、Ｓ１０３の処理を再度行う。
【００５３】
処理部１２１ａは、Ｓ１０４の処理を行うときは、同処理として、経過時間の計測を開始する。
【００５４】
そして、処理部１２１ａは、Ｓ１０５の処理として、前記電圧値が閾値Ｔｈ３を下回ったかについての判定を行う。ここで、閾値Ｔｈ３は、Ｓ１０５の処理のために予め定められた前記電圧値についての閾値である。閾値Ｔｈ３は、例えば、電気機器１３６ａに電力を供給するものとして適当であることがわかっている供給装置を用いた場合の前記電圧値の時間変化から適当な値を選択することにより定められる。
【００５５】
処理部１２１ａは、Ｓ１０５の処理による判定結果がｙｅｓの場合は、Ｓ１０６の処理を行う。
【００５６】
一方、処理部１２１ａは、Ｓ１０５の処理による判定結果がｎｏの場合は、Ｓ１０５の処理を再度行う。
【００５７】
処理部１２１ａは、Ｓ１０６の処理を行う場合は、同処理として、経過時間を記録する。
【００５８】
そして、処理部１２１ａは、Ｓ１０７の処理として、当該経過時間が所定の範囲内か否かの判定を行う。当該所定の範囲は、Ｓ１０７の処理のために予め定められた経過時間についての範囲である。
【００５９】
処理部１２１ａは、Ｓ１０７の処理による判定結果がｙｅｓの場合は、Ｓ１０８の処理を行う。
【００６０】
一方、処理部１２１ａは、Ｓ１０７の処理による判定結果がｎｏの場合は、Ｓ１０９の処理を行う。
【００６１】
処理部１２１ａは、Ｓ１０８の処理を行う場合は、評価結果がＯＫである旨を記録する。ここで、「ＯＫ」の評価結果は、供給装置１０１ａが電気機器１３６ａに電力を供給するものとして適当であることを表す評価結果である。
【００６２】
また、処理部１２１ａは、Ｓ１０９の処理を行う場合は、評価結果がＮＧである旨を記録する。ここで、「ＮＧ」の評価結果は、供給装置１０１ａが電気機器１３６ａに電力を供給するものとして不適当であることを表す評価結果である。評価結果がＯＫ及びＮＧのときに処理部１２１ａが接続部１１１ａ及び表示部１２６ａに対して評価結果により行う処理については、図５を参照して、後述する。
【００６３】
そして、処理部１２１ａは、図４に表す処理を終了する。
【００６４】
図５は、処理部１２１ａが行う、図４に表す処理による評価結果により行う処理の処理フロー例を表す概念図である。
【００６５】
図５に表す処理の前提として、図１に表す供給装置１０１ａは接続部１４６に接続されており、さらに供給装置１０１ａは電源に接続されている。
【００６６】
処理部１２１ａは、まず、Ｓ２００Ａの処理として、接続部１１１ａに対し接続指示情報を送付する。接続部１１１ａは、当該接続指示情報を受けて、端子Ａ−Ｂ間を接続する。これにより、供給装置１０１ａから、動作部１３１ａへ電力が供給される。
【００６７】
次に、処理部１２１ａは、Ｓ２００Ｂの処理として、時間の計測を開始し、その後に、所定時間が経過したかについての判定を行う。Ｓ２００Ｂの処理は、Ｓ２００Ａの処理により開始された供給装置１０１ａから動作部への電力供給により開始された図４に表す処理が終了することが推定される一定時間が経過するのを待つ趣旨で行う処理である。
【００６８】
処理部１２１ａは、Ｓ２００Ｂの処理による判定結果がｙｅｓの場合はＳ２０１の処理を行う。
【００６９】
一方、処理部１２１ａは、Ｓ２００Ｂの処理による判定結果がｎｏの場合はＳ２００Ｂの処理を再度行う。
【００７０】
処理部１２１ａは、Ｓ２０１の処理を行う場合は、同処理として、図１に表す端子Ａ−Ｂ間を切断する指示情報を接続部１１１ａに送る。接続部１１１ａは、当該指示情報を受けて、端子Ａ−Ｂ間を切断する。
【００７１】
次に、処理部１２１ａは、Ｓ２０２の処理として、評価結果の読み込みを行う。当該評価結果は、図４に表すＳ１０８又はＳ１０９の処理により、処理部１２１ａが記録したものである。
【００７２】
そして、処理部１２１ａは、Ｓ２０３の処理として、Ｓ２０２の処理により読み込んだ評価結果がＯＫか否かについての判定を行う。この際に、評価結果ＮＧであるか、又は、評価結果がまだ無い場合は、評価結果はＯＫで無い旨が判定される。
【００７３】
処理部１２１ａは、Ｓ２０３の処理による判定結果がｙｅｓの場合は、Ｓ２０３Ａの処理を行う。
【００７４】
一方、処理部１２１ａは、Ｓ２０３の処理による判定結果がｎｏの場合は、Ｓ２０３Ｂの処理を行う。
【００７５】
処理部１２１ａは、Ｓ２０３Ａの処理を行う場合は、同処理として、表示部１２６ａに対して評価結果がＯＫである旨の表示を指示する指示情報を送付する。当該指示情報を受けて表示部１２６ａは評価結果がＯＫである旨の表示を行う。当該表示は、例えば、「接続良好」という文字表示や、緑色のランプの連続点灯等である。表示部１２６ａは当該表示とともに、又は、当該表示に代えて、音声や振動により評価結果がＯＫである旨を表現しても構わない。
【００７６】
そして、処理部１２１ａは、Ｓ２０４の処理として、接続部１１１ａに対し、図１に表す端子Ａ−Ｂ間を接続する旨の指示を表す指示情報を送付する。
【００７７】
そして、処理部１２１ａは、Ｓ２０５の処理を行う。
【００７８】
一方、処理部１２１ａは、Ｓ２０３Ｂの処理を行う場合は、同処理として、表示部１２６ａに対して評価結果がＮＧである旨の表示を指示する指示情報を送付する。当該指示情報を受けて表示部１２６ａは評価結果がＮＧである旨の表示を行う。当該表示は、例えば、「接続不良」という文字表示や、赤色のランプの点滅等である。表示部１２６ａは当該表示とともに、又は、当該表示に代えて、音声や振動により評価結果がＮＧである旨を表現しても構わない。
【００７９】
そして、処理部１２１ａは、Ｓ２０５の処理を行う。
【００８０】
処理部１２１ａは、Ｓ２０５の処理を行う場合は、同処理として、図５に表す処理を終了するかについての判定を行う。処理部１２１ａは、当該判定を、例えば、外部からの終了情報の入力の有無を判定することにより行う。
【００８１】
処理部１２１ａは、Ｓ２０５による判定結果がｙｅｓの場合は、図５に表す処理を終了する。
【００８２】
一方、処理部１２１ａは、Ｓ２０５による判定結果がｎｏの場合は、Ｓ２０２の処理を再度行う。
【００８３】
図１に表す電気機器１３６ａは、図１に表す供給装置１０１ａが電気機器１３６ａに電力を供給するものとして適当な場合には、図４のＳ１０８の処理によりＯＫである旨の評価結果を得る。そして、電気機器１３６ａは、当該ＯＫである旨の評価結果により、図５に表すＳ２０３Ａの処理によりＯＫである旨の評価結果を表示する。電気機器１３６ａは、さらに、当該ＯＫである旨の評価結果により、Ｓ２０４の処理により、供給装置１０１ａからの電力を動作部１３１ａに供給できるようにする。従い、この状態で供給装置１０１ａが電源に接続された場合は、供給装置１０１ａから動作部１３１ａへの電力の供給が行われる。
【００８４】
一方、電気機器１３６ａは、図１に表す供給装置１０１ａが電気機器１３６ａに電力を供給するものとして不適当な場合には、図４のＳ１０９の処理によりＮＧである旨の評価結果を得る。そして、電気機器１３６ａは、当該ＮＧである旨の評価結果により、図５に表すＳ２０３Ｂの処理によりＮＧである旨の評価結果を表示する。電気機器１３６ａは、さらに、当該ＮＧである旨の評価結果により、Ｓ２０１の処理による、供給装置１０１ａからの電力が動作部１３１ａに供給されない状態を保持する。従い、この状態で供給装置１０１ａが電源に接続された場合は、供給装置１０１ａから動作部１３１ａへの電力の供給が行われない。
【００８５】
このようにして、制御部１４１ａ、供給装置１０１ａが電気機器１３６ａに電力を供給するものとして適当でない場合に生じる動作部１３１ａへのダメージを抑え得る。
［効果］
図１に表す制御部１４１ａは、供給装置１０１ａが接続部１４６に接続された状態で、供給装置１０１ａが電源に接続され、その後に電源から切断された場合には、図４に表す処理により、前記適正評価に係る前記評価結果を得る。制御部１４１ａは、当該評価結果を、供給装置１０１ａを前記電源に接続しその後に前記電源から切断した場合の、供給装置１０１ａからの入力に係る電圧値の所定の降下に要する時間から求める。
【００８６】
供給装置１０１ａからの入力に係る電圧の降下状況は、前記供給装置１０１ａの出力インピーダンスと電気機器１３６ａの電流負荷とにより定まる。ここで、当該降下状況は、供給装置１０１ａから電気機器１３６ａの動作部１３１ａに電力を供給した後に、供給装置１０１ａを電源から切り離した場合の、接続部１４６からの入力についての電圧の降下状況である。従い、供給装置１０１ａの前記降下状況が電気機器１３６ａ用に設計された供給装置の前記降下状況と近似していれば、前記供給装置は、前記電気機器に電力を供給するものとして適当であることが判断され得る。
【００８７】
そして、上述の降下に要する時間は、前記降下状況を表す値である。従い、前記降下に要する時間が、電気機器１３６ａ用に設計された供給装置の前記降下に要する時間と近似していれば、供給装置１０１ａが電気機器１３６ａに電力を供給するものとして適当であることが判定され得る。
【００８８】
制御部１４１ａは、当該評価結果の利用者等への提示を行うとともに、当該評価結果により、動作部１３１ａへの電力供給を可能にするか不能にするかの処置を行う。  ［背景技術］の項で説明したように、供給装置の電流容量が大きすぎる場合には、誤接続により当該電気機器が過剰な電流を当該電気機器に流し、過剰電流による発熱等が生じる場合がある。
【００８９】
制御部１４１ａは、供給装置１０１ａが電気機器１３６ａに電力を供給するものとして適当で無い場合は、動作部１３１ａへの電力供給を不能にするので、過剰電流により生じる場合のある動作部１３１ａへのダメージを抑え得る。
＜第二実施形態＞
第二実施形態は、供給装置の電源への接続及び切断を制御する電気機器についての実施形態である。
［構成と動作］
図６は、第二実施形態の電気機器を適用し得る電力供給システムの例である電力供給システム１００ａの構成を表す概念図である。
【００９０】
図６に表す電力供給システム１００ａの説明は、以下を除いて、図１に表す電力供給システム１００ａの説明と同じである。ただし、以下の説明と図１の説明とが矛盾する場合は、以下の説明を優先する。
【００９１】
図６に表す供給装置１０１ａは、図１に表す供給装置１０１ａの備える構成に加えて、接続部１５１ａを備える。
【００９２】
接続部１５１ａは、処理部１２１ａから送られる指示情報により、端子Ａ−Ｂ間の接続及び切断を行うスイッチである。
【００９３】
供給装置１０１ａは図示しない電源に接続されている。
【００９４】
図６に表す制御部１４１ａは、図１に表す制御部１４１ａが備える構成に加えて、処理部１２１ａと接続部１４６との間の点線で表す信号経路を備える。
【００９５】
そして、図６に表す処理部１２１ａは、図１に表す処理部１２１ａが行う動作に加えて必要に応じて次の動作を行う。すなわち、図６に表す処理部１２１ａは、供給装置１０１ａに対し、接続部１５１ａによる端子Ｇ−Ｈ間の接続及び切断を指示する指示情報を送る。
【００９６】
図６に表す処理部１２１ａがどのような場合に前記指示情報を送るかについては、処理フローの項において後述する。
［処理フロー］
図６に表す処理部１２１ａが行う評価処理の処理フロー例は、図４に表すＳ１０１及びＳ１０３の処理を図７に表す処理で置き換えたものである。
【００９７】
図７は図４に表すＳ１０１及びＳ１０３の処理を置き換える処理を表す概念図である。
【００９８】
図６に表す処理部１２１ａは、図４に表すスタートの次に、Ｓ１０２−２の処理として、供給装置１０１ａの接続部１５１ａに対し接続指示情報を送る。当該接続指示情報を受けた接続部１５１ａは端子Ｇ−Ｈ間の接続を行う。
【００９９】
そして、処理部１２１ａは、Ｓ１０２−３の処理として、時間の計測を開始し、その後に所定時間が経過したかについての判定を行う。Ｓ１０２−３の処理は、Ｓ１０２−２の処理により送った前記接続指示情報により、接続部１５１ａによる端子Ｇ−Ｈ間の接続が行われ、供給装置１０１ａから電気機器１３６ａの動作部１３１ａへの電力供給が行われるのを待つ趣旨で行う処理である。
【０１００】
処理部１２１ａは、Ｓ１０２−３の処理の判定結果がｙｅｓの場合は、Ｓ１０２−４の処理を行う。
【０１０１】
一方、処理部１２１ａは、Ｓ１０２−３の処理の判定結果がｎｏの場合は、Ｓ１０２−３の処理を再度行う。
【０１０２】
処理部１２１ａは、Ｓ１０２−４の処理を行う場合は、同処理として、接続部１５１ａに切断指示情報を送付する。当該切断指示情報を受けた接続部１５１ａは端子Ｇ−Ｈ間の接続の切断を行う。
【０１０３】
そして、接続部１５１ａは、図４に表すＳ１０４の処理を行う。
【０１０４】
図１に表す電力供給システム１００ａにおいては、供給装置１０１ａの電源への接続とその後の切断を、人の作業等による、電力供給システム１００ａ外の動作により行う必要があった。これに対し、図６に表す電力供給システム１００ａにおいては、供給装置１０１ａの電源への接続とその後の切断を、電力供給システム１００ａが自動的に行う。
【０１０５】
図６に表す制御部１４１ａが行う、図７に表す処理による評価結果により行う処理の処理フロー例は、図５に表すＳ２０３のｙｅｓとＳ２０３Ａとの間に図８に表すＳ２０３−２の処理を挿入したものである。
【０１０６】
図８は、制御部１４１ａが行う、図５に表す処理に挿入する処理を表す概念図である。
【０１０７】
処理部１２１ａは、図５に表すＳ２０３のｙｅｓの次に、Ｓ２０３−２の処理を行う。すなわち、処理部１２１ａは、図６に表す供給装置１０１ａの接続部１５１ａに対して、接続指示情報を送付する。接続部１５１ａは、当該、接続指示情報の送付を受けて、端子Ｇ−Ｈ間を接続する。
【０１０８】
そして、処理部１２１ａは、図５に表すＳ２０３Ａの処理を行う。
【０１０９】
図１に表す電力供給システム１００ａにおいては、適正評価に係る評価結果がＯＫである場合、供給装置１０１ａの電源への接続を、人の作業等による、電力供給システム１００ａ外の動作により行う必要がある。これに対し、図６に表す電力供給システム１００ａにおいては、供給装置１０１ａの電源への接続を、電力供給システム１００ａが自動的に行う。
［効果］
図６に表す制御部１４１ａは、図１に表す制御部１４１ａと同じ構成を備えることから、まず、図１に表す制御部と同じ効果を奏する。
【０１１０】
それに加えて、図６に表す電力供給システム１００ａは、供給装置１０１ａの電源への接続及び電源からの切断を、制御部１４１ａからの指示により供給装置１０１ａが自動的に行う。そのため、図６に表す電力供給システム１００ａは、供給装置１０１ａの電源への接続及び電源からの切断を、人等の外部により行うことを不要とすることができる。
＜第三実施形態＞
第三実施形態は、供給装置の電源への接続及び電源からの切断を制御部から供給装置に通信により送る指示情報により供給装置が行う電源供給システムに関する実施形態である。
［構成と動作］
図９は、第三実施形態の電気機器を適用し得る電力供給システムの例である電力供給システム１００ａの構成を表す概念図である。
【０１１１】
図９に表す電力供給システム１００ａの説明は、以下を除いて、図１に表す電力供給システム１００ａの説明と同じである。ただし、以下の説明と図１の説明とが矛盾する場合は、以下の説明を優先する。
【０１１２】
図９に表す供給装置１０１ａは、図１に表す供給装置１０１ａが備える構成に加えて、通信部１２５ａを備える。
【０１１３】
通信部１２５ａは、後述の通信部１２４ａとの間で無線による通信を行う。
【０１１４】
供給装置１０１ａの接続部１５１ａは、通信部１２４ａから送られる指示情報により、端子Ｇ−Ｈ間の接続及び切断を行う。
【０１１５】
図９に表す制御部１４１ａは、図１に表す制御部１４１ａが備える構成に加えて、通信部１２４ａを備える。
【０１１６】
そして、図９に表す処理部１２１ａは、図１に表す処理部１２１ａが行う動作に加えて、必要に応じて次の動作を行う。すなわち、図９に表す処理部１２１ａは、通信部１２４ａ及び通信部１２５ａを通じて、供給装置１０１ａに対し、接続部１５１ａによる端子Ｇ−Ｈ間の接続及び切断を指示する指示情報を送る。図９に表す処理部１２１ａがどのような場合に前記指示情報を送るかについては、処理フローの項において後述する。
［処理フロー］
図９に表す処理部１２１ａが行う評価処理の処理フロー例は、図４に表すＳ１０１及びＳ１０３の処理を図１０に表す処理で置き換えたものである。
【０１１７】
図１０は、図４に表すＳ１０１及びＳ１０３の処理を置き換える処理を表す概念図である。
【０１１８】
図９に表す処理部１２１ａは、図４に表すスタートの次に、Ｓ１０２−２ａの処理として、通信部１２４ａに対し、通信部１２５ａへの接続指示情報の送付を指示する。当該指示を受けた通信部１２４ａは、通信部１２５ａに対し接続指示情報を送付する。当該接続指示情報は、通信部１２５ａから接続部１５１ａに送られる。そして、接続部１５１ａは端子Ｇ−Ｈ間の接続を行う。
【０１１９】
次に、処理部１２１ａは、Ｓ１０２−３の処理として、時間の計測を開始し、その後に所定時間が経過したかについての判定を行う。Ｓ１０２−３の処理は、Ｓ１０２−２の処理により送った前記接続指示情報により、接続部１５１ａによる端子Ｇ−Ｈ間の接続が行われ、供給装置１０１ａから電気機器１３６ａの動作部１３１ａへの電力供給が行われるのを待つ趣旨で行う処理である。
【０１２０】
処理部１２１ａは、Ｓ１０２−３の処理による判定結果がｙｅｓの場合は、Ｓ１０２−４ａの処理を行う。
【０１２１】
一方、処理部１２１ａは、Ｓ１０２−３の処理による判定結果がｎｏの場合は、Ｓ１０２−３の処理を再度行う。
【０１２２】
処理部１２１ａは、Ｓ１０２−４ａの処理を行う場合は、同処理として、通信部１２４ａに対し、通信部１２５ａへの切断指示情報の送付を指示する。当該指示を受けた通信部１２４ａは、通信部１２５ａに対し切断指示情報を送付する。当該切断指示情報は、通信部１２５ａから接続部１５１ａに送られる。そして、接続部１５１ａは端子Ｇ−Ｈ間の切断を行う。
【０１２３】
そして、接続部１５１ａは、図４に表すＳ１０４の処理を行う。
【０１２４】
図１１は、図９に表す処理部１２１ａが行う、図５に挿入する処理を表す概念図である。
【０１２５】
図５に表すＳ２０３のｙｅｓの次に、処理部１２１ａは、Ｓ２０３−２ａの処理として、通信部１２４ａに対し、接続部１５１ａに向けた接続指示情報の、通信部１２５ａへの送付を指示する。当該指示を受けた通信部１２４ａは、通信部１２５ａに対して接続部１５１ａへの接続指示情報を送付する。そして、当該送付を受けて、通信部１２５ａは接続部１５１ａに当該接続指示情報を送る。そして、通信部１２５ａは接続部１５１ａに端子Ｇ−Ｈ間の接続を行わせる。
【０１２６】
図１に表す電力供給システム１００ａにおいては、供給装置１０１ａの電源への接続とその後の切断を、人の作業等による、電力供給システム１００ａ外の動作により行う必要がある。これに対し、図９に表す電力供給システム１００ａは、供給装置１０１ａの電源への接続とその後の切断を、電力供給システム１００ａが自動的に行う。
【０１２７】
図６に表す電力供給システム１００ａは、処理部１２１ａから接続部１５１ａに指示情報を送る有線の信号経路が必要である。これに対し、図９に表す電力供給システム１００ａは、供給装置１０１ａと電気機器１３６ａとの情報の授受を無線により行う。そのため、図９に表す電力供給システム１００ａは、有線の信号経路や、接続部１４６内部における信号経路同士の接続機構を省略することができる。
［効果］
図９に表す制御部１４１ａは、図６に表す制御部１４１ａと同様の構成を備え、図６に表す制御部と同じ効果を奏する。
【０１２８】
それに加えて、図９に表す電力供給システム１００ａは、処理部１２１ａから接続部１５１ａに指示情報の送付を無線により行う。そのため、図９に表す電力供給システム１００ａは、図６に表す有線の信号経路や、信号経路間の接続部１４６内部における接続機構を省略することができる。
＜第四実施形態＞
第四実施形態は、供給装置から電気機器への入力に係るノイズレベルを加味して適正判定を行う電気機器についての実施形態である。
［構成と動作］
図１２は、第四実施形態の電気機器を適用し得る電力供給システムの例である電力供給システム１００ａの構成を表す概念図である。
【０１２９】
図１２に表す電力供給システム１００ａの説明は、以下を除いて、図１に表す電力供給システム１００ａの説明と同じである。ただし、以下の説明と図１の説明とが矛盾する場合は、以下の説明を優先する。
【０１３０】
図１２に表す供給装置１０１ａの制御部１４１ａは、図１に表す制御部１４１ａが備える構成に加えて、ノイズ測定部１２８ａと、処理部１２１ａとノイズ測定部１２８ａとの間の点線で表す信号経路とを備える。
【０１３１】
ノイズ測定部１２８ａは、接続部１４６からの入力におけるノイズレベルを観測する。当該ノイズレベルは、例えば、当該入力における所定の周波数以上の周波数の電圧成分の電圧値である。ノイズ測定部１２８ａは、例えば、ノイズレベルの交流電圧を測定し得るノイズ測定器である。
【０１３２】
ノイズ測定部１２８ａは測定したノイズレベルを、処理部１２１ａに送る。
【０１３３】
ノイズ測定部１２８ａの端子Ｊは、副電源１１６ａに接続されている。そして、供給装置１０１ａが電源から切断されることにより接続部１４６からの入力の電圧レベルが低下した場合には、副電源１１６ａからノイズ測定部１２８ａに、ノイズ測定部１２８ａが動作するのに必要な電力が供給される。
【０１３４】
処理部１２１ａは、電圧測定部１２７ａから送られる電圧値と、ノイズ測定部１２８ａから送られるノイズレベルとにより、適正評価に係る評価結果を導出する。処理部１２１ａが当該評価結果を導出する導出方法例については、処理フローの項において後述する。
【０１３５】
処理部１２１ａは、前記評価結果により行う処理を行う。当該制御の具体例は、処理フローの項において後述する。
［処理フロー］
図１２に表す処理部１２１ａが行う評価処理の処理フローの第一の例は、図４に表すＳ１０７のｙｅｓとＳ１０８及びＳ１０９の処理との間に図１３に表すＳ１０７−１及びＳ１０７−２の処理を挿入したものである。
【０１３６】
図１３は、図１２に表す処理部１２１ａが行う、図４に表す評価処理に挿入する処理を表す概念図である。
【０１３７】
図１２に表す処理部１２１ａは、図４に表すＳ１０７のｙｅｓの次に、Ｓ１０７−２の処理として、ノイズ測定部１２８ａから送られたノイズレベルを記録する。
【０１３８】
そして、処理部１２１ａは、Ｓ１０７−２の処理として、Ｓ１０７−１の処理により記録したノイズレベルが閾値Ｔｈ５より大きいか否かについての判定を行う。ここで、閾値Ｔｈ５は、Ｓ１０７−２の処理のために予め定められた、ノイズ測定部１２８ａから送られるノイズレベルについての閾値である。
【０１３９】
処理部１２１ａは、Ｓ１０７−２の処理による判定結果がｙｅｓの場合は、図４に表すＳ１０９の処理を行う。
【０１４０】
一方、処理部１２１ａは、Ｓ１０７−２の処理による判定結果がｎｏの場合は、図４に表すＳ１０８の処理を行う。
【０１４１】
図１２に表す処理部１２１ａは、評価処理を行う際に、当該評価に供給装置１０１ａからの入力のノイズレベルを評価処理に用いる情報に加える。特許文献３に開示があるように、供給装置が電気機器に電力を供給するものとして適当でない場合には、供給する電力にノイズが増大する場合がある。図１２に表す処理部１２１ａは、ノイズレベルを評価処理に用いる情報に加えることにより、より精度の高い評価結果を導出し得る。
【０１４２】
以上においては、供給装置１０１ａが、適正評価に係る評価結果が二段階の場合について説明した。しかしながら、以下に説明するように、当該評価結果は三段階以上であっても構わない。そして、処理部１２１ａは、以下に説明するように、当該三段階以上の評価結果に基づく評価結果により行う処理を行っても構わない。
【０１４３】
図１２に表す処理部１２１ａが行う評価処理の第二の処理フロー例は、図４に表す処理フローに図１４に表す処理を挿入し、さらに、図４に表すＳ１０８及びＳ１０９の処理を図１５に表す処理で置き換えたものである。
【０１４４】
図１４は、図４に表す処理フローに挿入する処理を表す概念図である。
【０１４５】
処理部１２１ａは、図４に表すＳ１０７のｙｅｓの次に、Ｓ１０２の処理として、評価結果にレベル２を記録する。レベル２の評価結果は、三段階の評価結果の内の中間である。レベル２の場合に処理部１２１ａが行う処理は、図１６を参照して後述する。
【０１４６】
処理部１２１ａは、Ｓ１０２の次に、図４に表すＳ１０３の処理を行う。
【０１４７】
図１５は、図４に表すＳ１０８及びＳ１０９の処理を置き換える処理を表す概念図である。
【０１４８】
処理部１２１ａは、図４に表すＳ１０７のｙｅｓの次に、Ｓ１０７−１の処理として、ノイズ測定部１２８ａから送られるノイズレベルを記録する。
【０１４９】
そして、処理部１２１ａは、Ｓ１１１の処理として、Ｓ１０７−１の処理により記録したノイズレベルが閾値Ｔｈ６より高いか否かの判定を行う。ここで、閾値Ｔｈ６は、Ｓ１１１の処理のために予め定められた、ノイズ測定部１２８ａから送られるノイズレベルについての閾値である。
【０１５０】
処理部１２１ａは、Ｓ１１１の処理による判定結果がｙｅｓの場合、又は、図４に表すＳ１０７の処理による判定結果がｎｏの場合は、Ｓ１１２の処理を行う。
【０１５１】
一方、処理部１２１ａは、Ｓ１１１の処理による判定結果がｎｏの場合は、Ｓ１１３の処理を行う。
【０１５２】
処理部１２１ａは、Ｓ１１２の処理を行う場合は、同処理として、評価結果をレベル３に書き換える。レベル３は三段階の評価結果のうち、供給装置１０１ａが動作部に電力を供給するものとして、最も不適当であることを表す評価結果である。レベル３の場合に処理部１２１ａが行う処理は、図１６を参照して後述する。
【０１５３】
そして、処理部１２１ａは、図４、図１４及び図１５に表す処理を終了する。
【０１５４】
処理部１２１ａは、Ｓ１１２の処理を行う場合は、同処理として、ノイズ測定部１２８ａから送られるノイズレベルが閾値Ｔｈ７より高いか否かの判定を行う。ここで、閾値Ｔｈ７は、Ｓ１１１の処理のために予め定められた、ノイズ測定部１２８ａから送られるノイズレベルについての閾値である。なお、閾値Ｔｈ７は前述の閾値Ｔｈ６より低い値である。
【０１５５】
処理部１２１ａは、Ｓ１１３の処理による判定結果がｙｅｓの場合は、図４、図１４及び図１５に表す処理を終了する。これにより、処理部１２１ａは、図１４に表すＳ１０２の処理により記録したレベル２の評価結果を維持する。
【０１５６】
一方、処理部１２１ａは、Ｓ１１３の処理による判定結果がｎｏの場合は、Ｓ１１４の処理を行う。
【０１５７】
処理部１２１ａは、Ｓ１１４の処理を行う場合は、同処理として、評価結果をレベル１に書き換える。レベル１の評価結果は三段階の評価結果のうち、供給装置１０１ａが動作部に電力を供給するものとして、最も適当であることを表す評価結果である。評価結果がレベル１の場合に処理部１２１ａが行う処理は、図１６を参照して後述する。
【０１５８】
そして、処理部１２１ａは、図４、図１４及び図１５に表す処理を終了する。
【０１５９】
このようにして、図１２に表す処理部１２１ａは、図４、図１４及び図１５に表す処理により、レベル１乃至レベル３のいずれかの評価結果を保持する。
【０１６０】
図１６は、図１２に表す処理部１２１ａが行う評価結果により行う処理の処理フロー例を表す概念図である。
【０１６１】
図１６に表す処理の前提として、図１２に表す供給装置１０１ａは接続部１４６に接続されており、さらに、供給装置１０１ａは電源に接続されている。
【０１６２】
処理部１２１ａは、まず、Ｓ２００Ａの処理として、接続部１１１ａに対し接続指示情報を送付する。接続部１１１ａは、当該接続指示情報を受けて、端子Ａ−Ｂ間を接続する。これにより、供給装置１０１ａから動作部１３１ａへ電力が供給される。
【０１６３】
次に、処理部１２１ａは、Ｓ２００Ｂの処理として、時間の計測を開始し、その後に、所定時間が経過したかについての判定を行う。Ｓ２００Ｂの処理は、Ｓ２００Ａの処理により開始された供給装置１０１ａから動作部への電力供給により開始された図４に表す処理が終了することが推定される一定時間が経過するのを待つ趣旨で行う処理である。
【０１６４】
処理部１２１ａは、Ｓ２００Ｂの処理による判定結果がｙｅｓの場合は、Ｓ３０１の処理を行う。
【０１６５】
一方、処理部１２１ａは、Ｓ２００Ｂの処理による判定結果がｎｏの場合は、Ｓ２００Ｂの処理を再度行う。
【０１６６】
処理部１２１ａは、Ｓ３０１の処理を行う場合は、同処理として、接続部１１１ａに対し、切断指示情報を送付する。当該送付を受けることにより、接続部１１１ａは、端子Ａ−Ｂ間の接続を切断する。
【０１６７】
次に、処理部１２１ａは、Ｓ３０２の処理として、図４、図１４及び図１５に表す処理により記録された評価結果の読み込みを行う。
【０１６８】
そして、処理部１２１ａは、Ｓ３０３の処理として、Ｓ３０２の処理により読み込んだ評価結果がレベル１であるかについての判定を行う。この際に、評価結果がレベル２又はレベル３であるか、評価結果が無い場合は、評価結果はレベル１ではない旨が判定される。
【０１６９】
処理部１２１ａは、Ｓ３０３の処理による判定結果がｙｅｓの場合は、Ｓ３０７の処理を行う。
【０１７０】
一方、処理部１２１ａは、Ｓ３０３の処理による判定結果がｎｏの場合は、Ｓ３０４の処理を行う。
【０１７１】
処理部１２１ａは、Ｓ３０７の処理を行う場合は、同処理として、表示部１２６ａに対し、ＯＫの評価結果の表示を指示する。表示部１２６ａは当該指示を受けて、ＯＫの評価結果の表示を行う。
【０１７２】
そして、処理部１２１ａは、Ｓ３０８の処理として、接続部１１１ａに対し、接続指示情報を送付する。接続部１１１ａは、当該指示情報を受けて、端子Ａ−Ｂ間の接続を行う。
【０１７３】
そして、処理部１２１ａは、Ｓ３０９の処理を行う。
【０１７４】
処理部１２１ａは、Ｓ３０４の処理を行う場合は、同処理として、表示部１２６ａに対し、ＮＧの評価結果の表示を指示する。表示部１２６ａは当該指示を受けて、ＮＧの評価結果を表示する。
【０１７５】
そして、処理部１２１ａはＳ３０５の処理として、Ｓ３０２の処理により読み込んだ評価結果がレベル２かについての判定を行う。この際に、評価結果がレベル３であるか、又は、評価結果が無い場合は、評価結果はレベル２ではない旨が判定される。
【０１７６】
処理部１２１ａはＳ３０５による判定結果がｙｅｓの場合は、前述のＳ３０８の処理を行う。
【０１７７】
一方、処理部１２１ａはＳ３０５による判定結果がｎｏの場合は、Ｓ３０６の処理を行う。
【０１７８】
処理部１２１ａは、Ｓ３０６の処理を行う場合は、同処理として、接続部１１１ａに切断指示情報を送付する。接続部１１１ａは、当該指示情報を受けて端子Ａ−Ｂ間の切断を行う。
【０１７９】
そして、処理部１２１ａは、Ｓ３０９の処理を行う。
【０１８０】
処理部１２１ａは、Ｓ３０９の処理を行う場合は、同処理として、図１６に表す処理を終了するかについての判定を行う。処理部１２１ａは、当該判定を、例えば、終了情報の入力の有無を判定することにより行う。
【０１８１】
処理部１２１ａは、Ｓ３０９の処理による判定結果がｙｅｓの場合は、図１６に表す処理を終了する。
【０１８２】
一方、処理部１２１ａは、Ｓ３０９の処理による判定結果がｎｏの場合は、前述のＳ３０２の処理を再度行う。
【０１８３】
図１７は、処理部１２１ａが図１５に表す評価処理及び図１６に表す評価結果により行う処理を行った場合の、表示部１２６ａの表示と接続部１１１ａの接続状況を表す表である。
【０１８４】
電圧の低下に要した経過時間が所定の範囲外である場合、及び、経過時間が所定の範囲内であるがノイズレベルが大きい場合は、評価結果はレベル３になる。ここで、当該経過時間は、図４のＳ１０６の処理により記録した経過時間である。また、当該所定の範囲は、図４のＳ１０７の処理に用いた所定の時間である。また、ノイズレベルが大きいとは、ノイズレベルが閾値Ｔｈ６より大きい場合をいう。
【０１８５】
そして、評価結果がレベル３の場合は、表示部１２６ａはＮＧの評価結果を表示し、かつ、接続部１１１ａは、図１２に表す端子Ａ−Ｂ間を切断する。当該切断により、供給装置１０１ａを電源に接続したとしても、供給装置１０１ａから動作部１３１ａへは電力が供給されない。
【０１８６】
また、電圧の低下に要した経過時間が所定の範囲内であり、かつ、ノイズレベルが中程度の場合は、評価結果はレベル２になる。ここで、ノイズレベルが中程度とは、ノイズレベルが閾値Ｔｈ６以下であり閾値Ｔｈ７より大きい場合をいう。
【０１８７】
そして、評価結果がレベル２の場合は、表示部１２６ａはＮＧの評価結果を表示するが、接続部１１１ａは、図１２に表す端子Ａ−Ｂ間を接続する。当該接続により、供給装置１０１ａを電源に接続することにより、供給装置１０１ａから動作部１３１ａへ電力が供給される。当該状態は、利用者に対し、表示のみにより供給装置１０１ａが動作部１３１ａに電力を供給するものとして適当でないことを表すものである。
【０１８８】
電圧の低下に要した経過時間が所定の範囲内であり、かつ、ノイズレベルが小さい場合は、評価結果はレベル１になる。ここで、ノイズレベルが小さいとは、ノイズレベルが閾値Ｔｈ７以下である場合をいう。
【０１８９】
そして、評価結果がレベル１の場合は、表示部１２６ａはＯＫの評価結果を表示し、かつ、接続部１１１ａは、図１２に表す端子Ａ−Ｂ間を接続する。当該接続により、供給装置１０１ａを電源に接続することにより、供給装置１０１ａから動作部１３１ａへ電力が供給される。当該状態は、表示により利用者に対し、供給装置１０１ａが動作部１３１ａに電力を供給するものとして適当であることを示すとともに、供給装置１０１ａから動作部１３１ａへ電力供給を可能にするものである。
【０１９０】
以上説明した、３段階の評価結果を導く例では、制御部１４１ａは、それぞれの評価結果と、表示部１２６ａによる表示動作と接続部１１１ａによる接続動作との組合せを対応させる。それにより、制御部１４１ａは、より細やかで適切な、前記組合せを利用者に提供し得る。
［効果］
図１２に表す処理部１２１ａは、供給装置が評価処理を行う際に、供給装置が電気機器に電力を供給してから供給装置を電源から切断した場合の、電圧低下に要する時間とノイズレベルとを併せて用いる。特許文献３にも記述があるように、供給装置が装置に電力を供給する物として適当でない場合には、供給する電力にノイズが増大する場合があることが知られている。従い、図１２に表す処理部１２１ａは、ノイズレベルを評価処理に適用することにより、より精度の高い評価結果を導出し得る。
【０１９１】
以上の説明では、評価結果の導出に、供給装置を電気機器に接続した状態で当該供給装置への電源との接続を接続から切断へ切り替えた場合の、電圧値の所定の低下に要する時間を用いた場合を例とした。しかしながら、前記評価結果の導出には当該時間以外の前記電圧値の降下状況を表すものを用いることもできる。そして、当該降下状況を表すものは、前記電圧値の降下状況を表すものであれば、どのようなものでも構わない。
【０１９２】
例えば、前記降下状況を表すものは、前記電圧値の時間変化であっても構わない。
【０１９３】
又は、前記降下状況を表すものは、前記電圧値の時間変化と、基準とする電圧値の時間変化との類似性を表す値（類似度）であっても構わない。
【０１９４】
さらには、前記降下状況を表すものは、前記電圧値の時間変化の特徴を表す値であっても構わない。当該特徴を表す値としては、前述の電圧値の所定の低下に要する時間の他に、前記電圧の時間変化を表す曲線における所定の傾き等が想定される。
【０１９５】
図１８は、本発明の評価装置の最小限の構成である評価装置１４１ｘの構成を表すブロック図である。
【０１９６】
評価装置１４１ｘは、電圧測定部１２７ｘと、評価部１２１ｘと、出力部１２６ｘとを備える。
【０１９７】
電圧測定部１２７ｘは、電源からの電力により所定の直流電力の図示しない電気機器への供給を行う図示しない供給装置からの入力の電圧値を測定する。
【０１９８】
前記評価部１２１ｘは、前記供給装置の前記電源への接続後の、前記供給装置の前記電源からの切断による前記電圧値の降下状況を表すものについての所定の評価結果の導出を行う。
【０１９９】
出力部１２６ｘは、前記評価結果の出力を行う。
【０２００】
前記供給装置から前記動作部を備える装置へ供給した電力を、前記供給装置を前記電源から切り離すことにより供給停止にした場合を想定する。その場合、前記供給装置から前記動作部に供給される電圧の降下状況は、前記供給装置の出力インピーダンスと前記装置の出力インピーダンスと前記装置の電流負荷とにより定まる。従い、前記供給装置の前記降下状況が前記装置用に設計された専用の供給装置と近似していれば、前記供給装置は、前記電気機器に電力を供給するものとして適当であることが判断できる。
【０２０１】
そのため、評価装置１４１ｘは、上記構成により、［発明の効果］の項に記載した効果を奏する。
【０２０２】
以上、本発明の各実施形態を説明したが、本発明は、上記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０２０３】
また、上記の実施形態の一部または全部は、以下の付記のようにも記述され得るが、以下には限られない。
【０２０４】
（付記Ａ１）
電源からの電力により所定の直流電力の電気機器への供給を行う供給装置からの入力の電圧値を測定する電圧測定部と、
前記供給装置の前記電源への接続後の、前記供給装置の前記電源からの切断による前記電圧値の降下状況を表すものについての所定の評価結果の導出を行う評価部と、
前記評価結果の出力を行う出力部と、
を備える評価装置。
【０２０５】
（付記Ａ２）
前記評価結果が三段階以上である付記Ａ１に記載された評価装置。
【０２０６】
（付記Ａ３）
前記降下状況を表すものが、前記電圧値の所定の電圧降下に要する時間である、付記Ａ１又は付記Ａ２に記載された評価装置。
【０２０７】
（付記Ａ４）
前記電圧降下状況を表すものが、前記電源からの切断後、前記電圧値が所定の電圧まで降下するのに要する時間である、付記Ａ１乃至付記Ａ３のうちのいずれか一に記載された評価装置。
【０２０８】
（付記Ａ５）
前記評価結果の出力が、表示又は音声による出力を含む、付記Ａ１乃至付記Ａ４のうちのいずれか一に記載された評価装置。
【０２０９】
（付記Ａ６）
前記評価結果の出力が、前記評価結果により、前記供給装置と前記電気機器の主要な動作を行う部分である動作部との間の接続及び切断である第一の接続及び切断を行う第一の接続部への、前記第一の接続及び切断についての指示情報である第一の指示情報の出力を含む、付記Ａ１乃至付記Ａ５のうちのいずれか一に記載された評価装置。
【０２１０】
（付記Ａ７）
前記電源からの切断後に、前記導出に必要な電力を供給する第二の電源をさらに備える、付記Ａ１乃至付記Ａ６のうちのいずれか一に記載された評価装置。
【０２１１】
（付記Ａ８）
前記第二の電源が、前記電源からの切断後に、前記評価結果の出力に必要な電力を供給する、付記Ａ７に記載された評価装置。
【０２１２】
（付記Ａ９）
前記第二の電源が、前記電源からの切断後に、前記評価結果の出力対象が行う動作に必要な電力を供給する、付記Ａ７又は付記Ａ８に記載された評価装置。
【０２１３】
（付記Ａ１０）
前記電圧値のノイズレベルの測定を行うノイズ測定部をさらに備え、
前記ノイズレベルから前記導出を行う、付記Ａ１乃至付記Ａ９のうちのいずれか一に記載された評価装置。
【０２１４】
（付記Ａ１１）
前記降下状況を表すものが前記降下状況を表す値であり、前記降下状況を表す値が予め定めた範囲内の場合に、前記ノイズレベルから前記導出を行う、付記Ａ１０に記載された評価装置。
【０２１５】
（付記Ａ１２）
前記供給装置が第二の指示情報により前記電源との接続及び切断である第二の接続及び切断を行う第二の接続部を備え、前記第二の接続部に対し、前記電源への接続と前記電源からの切断とを指示する前記第二の指示情報の送付を行う、付記Ａ１乃至付記Ａ１１のうちのいずれか一に記載された評価装置。
【０２１６】
（付記Ａ１３）
前記供給装置が第一の無線通信部を備え、前記第二の指示情報の前記第一の無線通信部への送付を行う第二の無線通信部をさらに備える、付記Ａ１２に記載された評価装置。
【０２１７】
（付記Ｂ１）
付記Ａ１乃至付記Ａ１３のうちのいずれか一の評価装置と、前記評価結果により前記供給装置と前記電気機器の主要な動作を行う部分である動作部との間の接続及び切断である第一の接続及び切断を行う第一の接続部とを備える、接続装置。
【０２１８】
（付記Ｃ１）
付記Ａ１乃至付記Ａ１３のうちのいずれか一の評価装置と、前記評価結果により表示又は音声による出力を行う出力部とを備える、出力装置。
【０２１９】
（付記Ｄ１）
付記Ａ１乃至付記Ａ１３のうちのいずれか一の評価装置と、前記電気機器の主要な動作を行う部分である動作部とを備える、動作装置。
【０２２０】
（付記Ｅ１）
電源からの電力により所定の直流電力の、電気機器への供給を行う供給装置からの入力の電圧値を測定し
前記供給装置の前記電源への接続後の、前記供給装置の前記電源からの切断による前記電圧値の降下状況を表すものについての所定の評価結果の導出を行い、
前記評価結果の出力を行う、
評価方法。
【０２２１】
（付記Ｆ１）
電源からの電力により所定の直流電力の、電気機器への供給を行う供給装置からの入力の電圧値を測定する処理と
前記供給装置の前記電源への接続後の、前記供給装置の前記電源からの切断による前記電圧値の降下状況を表すものについての所定の評価結果の導出を行う処理と、
前記評価結果の出力を行う処理と、
をコンピュータに実行させる評価プログラム。
【符号の説明】
【０２２２】
１００ａ    電力供給システム
１０１ａ    供給装置
１１１ａ、１４６、１５１ａ    接続部
１１６ａ、１１６ｂ    副電源
１２１ａ、１２１ｂ    処理部
１２１ｘ    評価部
１２４ａ、１２５ａ    通信部
１２６ａ    表示部
１２６ｘ    出力部
１２７ａ、１２７ｘ    電圧測定部
１２８ａ    ノイズ測定部
１３１ａ    動作部
１３６ａ    電気機器
１３７ａ    ダイオード
１３８ａ    コンデンサ
１３９ａ    グランド
１４１ａ    制御部
１４１ｘ    評価装置
１５６ａ    変換部
１６２ａ    記録部
１６３ａ    タイマー
１６４ａ    演算部
【図１】
2018082561.tif 000003
【図２】
2018082561.tif 000004
【図３】
2018082561.tif 000005
【図４】
2018082561.tif 000006
【図５】
2018082561.tif 000007
【図６】
2018082561.tif 000008
【図７】
2018082561.tif 000009
【図８】
2018082561.tif 000010
【図９】
2018082561.tif 000011
【図１０】
2018082561.tif 000012
【図１１】
2018082561.tif 000013
【図１２】
2018082561.tif 000014
【図１３】
2018082561.tif 000015
【図１４】
2018082561.tif 000016
【図１５】
2018082561.tif 000017
【図１６】
2018082561.tif 000018
【図１７】
2018082561.tif 000019
【図１８】
2018082561.tif 000020